(57)【要約】【課題】光学ピックアップ及び磁気ヘッドを備えるディスク記録再生装置の一層の小型を図る。【解決手段】シャーシ２に設けられ、ディスクを回転駆動する回転駆動部３３９と、ディスクに光束を照射する光学ピックアップ１０と、光学ピックアップ１０とともにディスクの径方向に移動され、一端側に磁気ヘッド１３が設けられているとともに、上方側の位置と下方側の位置との間を回動可能な磁気ヘッド支持アーム７７と、シャーシ２に回動自在に設けられたカートリッジホルダ３と、カーリッジホルダ３に回動可能に設けられた磁気ヘッド昇降部２０と、磁気ヘッド昇降部２０を回動操作して、磁気ヘッド支持アーム７７を上方側の位置と下方側の位置との間を回動させる昇降駆動機構とを備えいる。【選択図】　図８
2004030868.tif 000002
【特許請求の範囲】
【請求項１】
シャーシと、
上記シャーシに設けられ、ディスクを回転駆動する回転駆動部と、
上記ディスクの径方向に移動自在に支持され、上記ディスクに光束を照射する光学ピックアップと、
上記光学ピックアップとともに上記ディスクの径方向に移動され、一端側に磁気ヘッドが設けられているとともに、上方側の位置と下方側の位置との間を回動可能な磁気ヘッド支持アームと、
上記シャーシに回動自在に設けられたカートリッジホルダと、
上記カートリッジホルダに回動可能に設けられた磁気ヘッド昇降部と、
上記磁気ヘッド昇降部を回動操作して、上記ヘッドアームを上記上方側の位置と上記下方側の位置との間を回動させる昇降駆動機構とを備えるディスク記録再生装置。
【請求項２】
上記昇降駆動機構は、上記シャーシ側に設けられた駆動部と、上記駆動部によって駆動され上記磁気ヘッド昇降部を操作する操作部とを備える請求項１記載のディスク記録再生装置。
【請求項３】
上記装置は、更に上記光学ピックアップの送り機構を備え、上記送り機構は、上記シャーシの下面に配されているとともに、上記駆動部も上記シャーシの下面に配されている請求項２記載の記録及び／又は再生装置。
【請求項４】
上記カートリッジホルダには、開口部が形成されており、上記磁気ヘッド昇降部は上記カートリッジホルダの上面側に上記開口部を覆うように設けられている請求項１記載のディスク記録再生装置。
【請求項５】
上記磁気ヘッド昇降部は、回動支点が上記カートリッジホルダの回動支点側に位置するように設けられている請求項４記載のディスク記録再生装置。
【請求項６】
上記装置は、更に上記磁気ヘッド支持アームが上記下方側に付勢する捻りコイルばねを備えている請求項１記載のディスク記録再生装置。
【請求項７】
上記装置は、記録時に上記磁気ヘッド支持アームが上記下方側の位置に移動され上記開口部を介して上記磁気ヘッドが上記カートリッジホルダ内に進入し、再生時には上記磁気ヘッド支持アームが上記上方側の位置に移動され上記磁気は上記カートリッジホルダの上側に保持される請求項４記載のディスク記録再生装置。
【発明の詳細な説明】
【０００１】
【産業上の利用分野】
本発明は、光磁気ディスクや光ディスクの如き記録媒体に対して情報信号の記録再生を行うディスク記録再生装置に関する。
【０００２】
【従来の技術】
従来、光磁気ディスクや光ディスクの如き記録媒体を用いて、情報信号の記録又は再生を行うように構成された記録再生装置が提案されている。この種の記録再生装置に用いられる光磁気ディスクや光ディスクは、カートリッジに収納されディスクカートリッジを構成している。
【０００３】
光磁気ディスクや光ディスクを記録媒体に用いる記録再生装置は、記録媒体に対して情報信号の記録又は再生を行うための、光学ピックアップ及び磁気ヘッドを備えている。これら光学ピックアップ及び磁気ヘッドは、シャーシ上に配設されて記録再生部を構成している。
【０００４】
【発明が解決しようとする課題】
ところで、光磁気ディスクを記録媒体に用いる光磁気記録再生装置にあっては、光磁気ディスクにデータの記録を行う際には、光学ピックアップから光束、例えばレーザ光を照射するとともに、磁気ヘッドを用いて垂直磁界を光磁気ディスクの記録膜に印加する必要がある。
【０００５】
一方、光磁気ディスクに記録された情報信号の読み出しを行うときには、光学ピックアップからレーザ光を照射するのみで足りるので、磁気ヘッドは不要となる。
【０００６】
そこで、光磁気ディスクを記録媒体に用いる記録再生装置にあっては、装置の操作モードに応じて磁気ヘッドをディスクに対し昇降操作する機構を備えたものがある。例えば、特許第３０７７２２０号公報に記載されたものがある。
【０００７】
この公報に開示される磁気ヘッドの昇降機構は、構成が複雑であり、小型の装置に適用することが困難である。すなわち、記録再生装置の小型化を図ることが困難である。
【０００８】
そこで、上述の実情に鑑みて提案されるものであって、光学ピックアップ及び磁気ヘッドを備えるディスク記録再生装置の一層の小型を可能とするディスク記録再生装置を提供することを目的とする。
【０００９】
【課題を解決するための手段】
上述の課題を解決し上記目的を達成するため、本発明は、シャーシと、このシャーシに設けられ、ディスクを回転駆動する回転駆動部と、ディスクの径方向に移動自在に支持され、ディスクに光束を照射する光学ピックアップと、光学ピックアップとともにディスクの径方向に移動され、一端側に磁気ヘッドが設けられているとともに、上方側の位置と下方側の位置との間を回動可能な磁気ヘッド支持アームと、シャーシに回動自在に設けられたカートリッジホルダと、このカートリッジホルダに回動可能に設けられた磁気ヘッド昇降部と、磁気ヘッド昇降部を回動操作して、ヘッドアームを上方側の位置と下方側の位置との間を回動させる昇降駆動機構とを備える。この昇降駆動機構は、シャーシ側に設けられた駆動部と、駆動部によって駆動され磁気ヘッド昇降部を操作する操作部とを備える。
【００１０】
本発明に係るディスク記録再生装置は、更に光学ピックアップの送り機構を備え、この送り機構をシャーシの下面に配するとともに、駆動部もシャーシの下面に配している。
【００１１】
【作用】
本発明に係るディスク記録再生装置は、昇降駆動機構が制御されることにより、磁気ヘッドを一端部に設けたヘッドアームが回動操作され、回転駆動部に装着されたディスクに近接した下方側の位置とディスクから離間した上方側の位置との間で磁気ヘッドの移動が行われる。
【００１２】
【実施例】
以下、本発明に係るディスク記録再生装置を図面を参照しながら説明する。
【００１３】
本発明は、次の順序で説明される。
【００１４】
〔１〕ディスク記録再生装置の全体構成の概要
〔２〕ディスクカートリッジの構成
〔３〕装置本体を構成する筐体の構成
〔４〕メカシャーシ上の構成（ディスク駆動部の構成）
〔５〕磁気ヘッドを支持する構成
〔６〕カートリッジホルダの構成
〔７〕ディスクカートリッジ排出機構
〔８〕磁気ヘッドを昇降操作する構成
〔９〕メカシャーシを支持する構成
〔１０〕上蓋部の構成
〔１１〕停止モードにおける状態
〔１２〕ディスクカートリッジの装着
〔１３〕再生モードにおける状態
〔１４〕記録モードにおける状態
〔１５〕ディスクカートリッジの取り出し
【００１５】
〔１〕記録再生装置の全体構成の概要
本発明が適用されるディスク記録再生装置は、図１及至図８に示すように、ベース部材１と、このベース部材１に対し複数のダンパ機構１４を介していわゆるフローティング支持される支持部材となるメカシャーシ２とを備えている。ベース部材１には、バッテリーケース８、外カバー５及び下カバー６が固定して取り付けられる。さらに、バッテリーケース８には、上カバー７とカバー支持板４とからなる閉蓋部材となる上蓋部が回動可能に取り付けられる。すなわち、この記録再生装置は、ベース部材１、バッテリーケース８、外カバー５及び下カバー６からなる装置本体を構成する筐体に対して、上蓋部が回動可能に取り付けられている。上蓋部は、図９及び図１２に示すように、筐体の上面側を開閉する。メカシャーシ２の上面部には、カートリッジホルダ３が回動可能に取り付けられている。
【００１６】
上蓋部の上カバー７とカバー支持板４との間には、図示しない電子基板が内蔵されている。電子基板は、上カバー７の上面部に設けられたキー入力部１５及び表示部１６に接続されている。キー入力部１５は、図１に示すように、再生（プレイ）釦２８、順方向トラックジャンプ釦３１、逆方向トラックジャンプ釦３０、一時停止（ポーズ）釦３２、停止（ストップ）釦２９、及び出力音量（ボリューム）調節釦３３，３４を備えている。表示部１６は、いわゆる液晶表示デバイスの如き平板状に構成された表示デバイスを用いて構成されている。表示部１６には、記録再生装置の動作モードに関連した種々の情報を表示する。キー入力部１５を構成する他の押し釦スイッチ２７は、上カバー７上にスライド可能に取り付けられたスライドカバー２６が、図１中矢印Ａ方向の前方側にスライドされることにより、このスライドカバー２６に覆われる。
【００１７】
また、装置本体を構成する筐体内にも、図示しない電子基板が収納されている。この電子基板上には、図３６に示すように、制御回路となるＣＰＵ３３８が設けられている。ＣＰＵ３３８には、キー入力部１５が接続されている。このＣＰＵ３３８は、キー入力部１５に対する入力に応じて、後述するようにメカシャーシ２上に構成される記録再生部となるディスク駆動部３３９を駆動制御する。
【００１８】
〔２〕ディスクカートリッジの構成
本発明に係る記録生装置の記録媒体として用いられる情報信号の記録を可能とした光磁気ディスクは、直径が例えば６４ｍｍ程度のポリカーボネイトの如き透明合成樹脂材料よりなるディスク基板に、磁性材料からなる信号記録層が被着形成されている。この信号記録層は、集光されたレーザ光の照射等の手段により局所的にいわゆるキュリー温度以上に加熱され、この加熱された部分に外部磁界が印加されることにより、情報信号の書き込みが行われる。このように書き込まれた情報信号は、信号記録層にレーザ光の如き直線偏光光束を照射し、この光束の反射光束についての記信号記録層におけるいわゆるカー効果による偏光方向の回転を検出することにより、読み出すことができる。
【００１９】
本発明に係る記録再生装置の記録媒体として用いられる再生専用型の光ディスクは、光磁気ディスクのディスク基板と同様のディスク基板に、アルミニウムの如き金属材料よりなる反射層が被着形成されている。この光ディスクのディスク基板には、射出成形等の手段により、情報信号を示す微細なピット列が形成されている。この光ディスクに書き込まれている情報信号は、ピット列にレーザ光の如き光束を照射し、この光束の反射光束についての記信号記録層における拡散や干渉による光量の変化を検出することにより読み出される。
【００２０】
光磁気ディスク及び光ディスクは、図３８及至図４１に示すように、カートリッジ２０５，２１６に回転可能に収納されて、ディスクカートリッジを構成している。光磁気ディスクを収納して記録及び再生用ディスクカートリッジ２２０を構成するカートリッジ２０５は、一辺の長さが光磁気ディスクの直径にほぼ対応した矩形状の主面を有する薄い筐体状に構成されている。このカートリッジ２０５は、図３８に示すように、上面側の主面に、光磁気ディスクの信号記録面の一部を外方に臨ませるための磁気ヘッド用開口部２２３が設けられている。このカートリッジ２０５は、図４０に示すように、下面側の主面の磁気ヘッド用開口部２２３に対向する位置に光学ピックアップ用開口部２２２が設けられ、この下面側の主面の中央部にチャッキング用開口部２１３が設けられている。この記録再生型のディスクカートリッジ２２０は、記録再生装置に対して、図３８及び図４０中矢印Ｅを方向を挿入方向として装着される。
【００２１】
記録再生型のディスクカートリッジ２２０を構成するカートリッジ２０５において、磁気ヘッド用開口部２２３及び光学ピックアップ用開口部２２２は、シャッタ部材２０６によってて開閉可能とされている。シャッタ部材２０６は、これら開口部２２３，２２２に対応した互いに平行に相対向されたシャッタ板と、これらシャッタ板の一端側同士間を連結する連結部とを有し、合成樹脂材料又は金属材料により一体的に形成されている。シャッタ部材２０６は、連結部側をカートリッジ２０５の一側部に形成された支持溝部２０７に支持されて摺動可能とされている。すなわち、シャッタ部材２０６は、カートリッジ２０５の一側部に沿ってスライドされることにより各開口部２２３，２２２を開放し又は閉塞する。
【００２２】
光ディスクを収納して再生専用型のディスクカートリッジ２２１を構成するカートリッジ２１６は、一辺の長さが該光ディスクの直径にほぼ対応した矩形状の主面を有する薄い筐体状に構成されている。このカートリッジ２１６は、図３９に示すように、上面側の主面には開口部が設けられていない。このカートリッジ２１６は、図４１に示すように、下面側の主面に光学ピックアップ用開口部２２２が設けられ、下面側の主面の中央部にチャッキング用開口部２１３が設けられている。この再生専用型のディスクカートリッジ２２１は、記録再生装置に対して、図３９及び図４１中矢印Ｅ方向を挿入方向として装着される。
【００２３】
再生専用型のディスクカートリッジ２２１を構成するカートリッジ２１６において、光学ピックアップ用開口部２２２は、シャッタ部材２１７によって開閉される。シャッタ部材２１７は、光学ピックアップ用開口部２２２に対応したシャッタ板と、このシャッタ板の一端側に設けられた支持部とを有し、合成樹脂材料又は金属材料により一体的に形成されている。このシャッタ部材２１７は、支持部側をカートリッジ２１６の一側部に形成された支持溝部２０７に支持させてカートリッジ２１６に対しスライド可能とされている。すなわち、シャッタ部材２１７は、カートリッジ２１６の一側部に沿ってスライドされることにより光学ピックアップ用開口部２２２を開閉する。
【００２４】
各シャッタ部材２０６，２１７には、連結部又は支持部のほぼ中央位置に、側方側に向けて、シャッタ閉蓋孔２０８が開設されている。シャッタ閉蓋孔２０８は、記録再生装置において各シャッタ部材２０６，２１７を閉蓋操作するための部材が係合する。
【００２５】
光磁気ディスク及び光ディスクの中心部には、円形のチャッキング孔２０４が開設されている。このチャッキング孔２０４は、上面側より、チャッキングプレート２０２により閉塞されている。チャッキングプレート２０２は、鉄やステンレスの如き、磁性を有する金属材料により、チャッキング孔２０４にほぼ対応した直径の円盤状に形成されている。これらチャッキング孔２０４及びチャッキングプレート２０２は、チャッキング用開口部２１３を介して、各カートリッジ２０５，２１６の外方に臨んでいる。
【００２６】
各カートリッジ２０５，２１６の下側主面には、対をなす前方側及び後方側位置決め穴２０９，２１０が形成されている。前方側位置決め穴２０９は、光学ピックアップ用開口部２２２の前方側の主面部の縁部近傍に位置しており、長径方向が前後方向となされた長円形に形成されている。後方側位置決め穴２１０は、光学ピックアップ用開口部２２２の後方側の主面部の縁部近傍に位置しており、円形に形成されている。
【００２７】
各カートリッジ２０５，２１６の下側主面の後方側の他側縁部近傍には、複数の識別用穴２２４が形成されている。これら識別用穴２２４は、これらカートリッジ２０５，２１６が収納しているディスクの種別や状態、例えば情報信号の記録が可能か否かを識別するためのものである。記録及び再生用ディスクカートリッジ２２０のカートリッジ２０５内には、識別用穴２２４に対応して、後側面部にセーブノッチ２１４が設けられている。このセーブノッチ２１４は、移動操作されることにより、識別用穴２２４のうちの一の内部に進退し、この識別用穴２２４の深さを変えて、情報信号の記録可否の識別状態を切り換える。さらに、これら各カートリッジ２０５，２１６の下側主面の前方側の他側縁部には、被係合凹部２１２が形成されている。
【００２８】
記録再生型のディスクカートリッジ２２０を構成するカートリッジ２０５においては、下側主面の前方側縁部に、光磁気ディスク識別凹部２１１が形成されている。また、再生専用型のディスクカートリッジ２２１のカートリッジ２１６においては、下側主面の前方側縁部に、光ディスクディスク識別凹部２１８が形成されている。これら光磁気ディスク識別凹部２１１と光ディスク識別凹部２１８とは、互いに下側主面部よりの深さが異なっており、この深さの違いにより、収納されているディスクが上記光磁気ディスクか上記光ディスクかを識別できるようになされている。
【００２９】
〔３〕装置本体を構成する筐体の構成
本発明に係る記録再生装置を構成するベース部材１は、金属の如き材料により、図２１及び図２２に示すように、装置本体を構成する筐体の周壁を構成する枠形状に形成されている。このベース部材１の前面部には、図２０及び図２１に示すように、後述するイジェクトスライダ１１６、ロックスライダ１１５及び録音スライダ１８６がスライド可能に取り付けられている。バッテリーケース８は、合成樹脂の如き材料により、バッテリー２２５が収納され得る筐体状に形成され、ベース部材１の後側部分にネジ止めされている。このバッテリーケース８は、側方側に開閉可能な蓋部２５を有しており、この蓋部２５を開蓋することにより、バッテリー２２５の挿入及び取り出しが可能となるようになされている。バッテリー２２５は、例えばリチウムイオン電池、リチウム水素電池やニッケル−カドミウム（Ｎｉ−Ｃｄ）電池の如き充電式の二次電池をカバーに収納して構成されており、外面部に正負の電極端子を有している。バッテリーケース８の内部には、バッテリー２２５の上記各電極端子に接触する電源端子が配設されている。
【００３０】
外カバー５は、合成樹脂の如き材料により、図２３及び図２４に示すように、ほぼ枠状に形成され、ベース部材１の外周面部を覆ってベース部材１に取り付けられている。外カバー５の前面部には、イジェクトスライダ１１６の一端側に設けられた係合突片１７５に係合するイジェクトノブ１７及び録音スライダ１８６の他端側に設けられた当接突片３４１に当接係合する録音ノブ１８が、それぞれスライド可能に取り付けられている。イジェクトノブ１７は、スライド操作されることにより、イジェクトスライダ１１６をスライドさせる。録音ノブ１８は、スライド操作されることにより、録音スライダ１８６をスライドさせる。なお、録音ノブ１８は、キー入力部１５の一部をなすものであり、ＣＰＵ３３８に接続された図示しない録音開始スイッチを、録音スライダ１８６を介して押圧操作する。下カバー６は、金属の如き材料により、ほぼ平板状に形成されており、ベース部材１の下側部に対してネジ止めされ筐体の下面部を構成している。
【００３１】
筐体の外側面部には、情報信号の出入力を行うための接続ジャック部３６，３７，３８，３９，４０が設けられている。これら接続ジャック３６，３７，３８，３９，４０部は、上記筐体内の電子基板上に構成された電子回路に接続されている。
【００３２】
〔４〕メカシャーシ上の構成（ディスク駆動部の構成）
メカシャーシ２は、図１５及至図１７に示すように、金属の如き材料によりほぼ平板状に形成されている。このメカシャーシ２上には、ディスク駆動部３３９が構成されている。すなわち、メカシャーシ２のほぼ中央部の下面部には、図１２に示すように、スピンドルモータ８９が、駆動軸を上方側に向けて取り付けられている。このスピンドルモータ８９は、駆動軸を、メカシャーシ２のほぼ中央部に設けられた透孔を介して、メカシャーシ２の上方側に突出させている。このスピンドルモータ８９の駆動軸には、ディスクテーブル１１が取り付けられている。このディスクテーブル１１は、合成樹脂の如き材料によりほぼ円盤状に形成され、上面部に、光磁気ディスク及び光ディスクのチャッキング孔２０４に対応する円錐台状の突起部が設けられている。このディスクテーブル１１は、突起部の上端側部分に、チャッキングプレート２０２を吸引するためのマグネットが設けられている。このディスクテーブル１１は、光磁気ディスク又は光ディスクの中心部分が載置されると、チャッキング孔２０４に突起部を係合させるとともに、マグネットによりチャッキングプレート２０２を吸引して、光磁気ディスク又は光ディスクを位置決めして保持する。このとき、光磁気ディスク又は光ディスクは、チャッキング孔２０４の中心がスピンドルモータ８９の駆動軸の中心軸と一致される。スピンドルモータ８９は、ディスクテーブル１１とともに、光磁気ディスク又は光ディスクを回転操作する。
【００３３】
メカシャーシ２には、光学ピックアップ１０が取り付けられている。光学ピックアップ１０は、光学ブロック部を有し、光学ブロック部内に、光源となるレーザダイオード、フォトトランジスタの如き受光素子、レーザダイオードより出射光束を導く種々の光学デバイス及び対物レンズ１３０等を備えている。光学ピックアップ１０は、レーザダイオードから出射される光束を光学デバイス及び対物レンズ１３０を介して光磁気ディスク又は光ディスクの信号記録層に集光して照射することができるように構成されている。この光学ピックアップ１０は、光磁気ディスク又は光ディスクに照射された光束の反射光束を、対物レンズ１３０及び光学デバイスを介して、受光素子により検出できるように構成されている。この光学ピックアップ１０は、反射光束について、光量及び偏光方向の回転角を検出することができる。
【００３４】
光学ピックアップ１０は、メカシャーシ２の下面部に互いに平行に取り付けられた一対のガイドシャフト１２２，１２３を介して、スピンドルモータ８９の一側に位置して移動可能に取り付けられている。この光学ピックアップ１０は、各ガイドシャフト１２２，１２３にガイドされてスピンドルモータ８９に対し接離方向に移動操作される。光学ピックアップ１０は、メカシャーシ２の下面側に位置し、このメカシャーシ２に設けられた透孔を介して、対物レンズ１３０をメカシャーシ２の上方側に臨ませている。対物レンズ１３０は、ディスクテーブル１１に保持された光磁気ディスク又は光ディスクの信号記録面に対向される。すなわち、この光学ピックアップ１０は、ディスクテーブル１１に保持されて回転操作される光磁気ディスクに対する情報信号の書き込みのための光束の照射し、光磁気ディスク又は光ディスクよりの情報信号の読み出しを行うように構成されている。
【００３５】
光学ピックアップ１０は、メカシャーシ２の下面部に取り付けられたピックアップ送りモータ１２４により、各ガイドシャフト１２２，１２３に沿って送り操作される。ピックアップ送りモータ１２４の駆動軸には、駆動ギヤ１２５が取り付けられている。駆動ギヤ１２５は、メカシャーシ２の下面部において回転可能に支持された減速伝達ギヤ１２６に噛合しており、この減速伝達ギヤ１２６を回転させる。減速伝達ギヤ１２６は、メカシャーシ２の下面側に各ガイドシャフト１２２，１２３と平行に回転可能に取り付けられたスクリューシャフト１２１の一端側に取り付けられた従動ギヤ１２７に噛合しており、この従動ギヤ１２７を介してスクリューシャフト１２１を軸回りに回転させる。スクリューシャフト１２１は、外周面にスクリューネジ部が形成され、このスクリューネジ部を光学ピックアップ１０の光学ブロック部に噛合させている。すなわち、ピックアップ送りモータ１２４が駆動すると、スクリューシャフト１２１が回転操作されて、光学ピックアップ１０が各ガイドシャフト１２２，１２３に沿って移動操作される。
【００３６】
なお、スピンドルモータ８９の近傍には、光学ピックアップ１０が移動可能範囲内で最も該スピンドルモータ８９に接近された位置になったとき、すなわち、この光学ピックアップ１０の位置が光磁気ディスク又は光ディスクの最内周位置となったときに、この光学ピックアップ１０の光学ブロック部に押圧操作される内周検出スイッチ１２８が取り付けられている。
【００３７】
メカシャーシ２の上面部には、前縁部近傍及び後縁部近傍の一側部分に、対をなす前方側及び後方側位置決めピン７０，３４２が植設されている。前方側位置決めピン７０は、図２０に示すように、先端側が縮径されてほぼ円錐形状となされたピンである。後方側位置決めピン３４２は、ほぼ円錐台形状のピンである。これら各位置決めピン７０，３４２は、記録及び再生用ディスクカートリッジ２２０又は上記再生専用ディスクカートリッジ２２１がメカシャーシ２上に載置されたとき、各位置決め穴２０９，２１０に対応して嵌合し、各カートリッジ２０５，２１６のメカシャーシ２に対する位置決めを行う。このメカシャーシ２の前縁部近傍の他側部分には、図１２及び図２０に示すように、高さ位置決め凸部７１が形成されている。この高さ位置決め凸部７１は、メカシャーシ２の一部が上方側に膨出形成されて設けられている。この高さ位置決め凸部７１は、メカシャーシ２上に載置された各ディスクカートリッジ２２０，２２１の各カートリッジ２０５，２１６の下方側の主面に当接して、これらカートリッジ２０５，２１６の高さ方向についての位置決めを行う。この高さ位置決め凸部７１は、上面部に透孔が設けられている。この高さ位置決め凸部７１の下方側には、カートリッジ装着検出スイッチ７２が配設されている。カートリッジ装着検出スイッチ７２は、押圧子７３を、高さ位置決め凸部７１の透孔を介して、高さ位置決め凸部７１の上面部よりも上方側に突出させている。すなわち、カートリッジ装着検出スイッチ７２は、高さ位置決め凸部７１の上面部に各カートリッジ２０５，２１６の下方側の主面部が当接されると、この主面部により上記押圧子７３を押圧され、上記各ディスクカートリッジ２２０，２２１のいずれかが装着されたことを検出する。また、メカシャーシ２のカートリッジ装着検出スイッチ７２の近傍には、複数の識別用穴２２４に対応する複数の識別スイッチ１０７，１０８が取り付けられている。これら識別スイッチ１０７，１０８は、対応する識別用穴２２４が浅い場合に押圧操作され、識別用穴２２４が深い場合には押圧されない。
【００３８】
このメカシャーシ２においては、各ディスクカートリッジ２２０，２２１が載置されると、各カートリッジ２０５，２１６が各位置決めピン７０，３４２及び高さ位置決め凸部７１によって位置決めされるとともに、光磁気ディスク又は光ディスクがディスクテーブル１１上に位置決めされて保持、すなわち、チャッキングされる。このとき、光磁気ディスク及び光ディスクは、各カートリッジ２０５，２１６内において、このカートリッジ２０５，２１６の内壁部に摺接することなく、回転操作されることができる。このとき、カートリッジ装着検出スイッチ７２によりディスクカートリッジ２２０，２２１の装着が検出されるとともに、各識別スイッチ１０７，１０８により各識別用穴２２４の状態が識別される。カートリッジ装着検出スイッチ７２は、図３６に示すように、スイッチ（Ａ）として、ＣＰＵ３３８に接続されている。
【００３９】
〔５〕磁気ヘッドを支持する構成
光学ピックアップ１０には、図１２及至図１４及び図１８、図１９に示すように、連結アーム１２、磁気ヘッド支持板１３２及び磁気ヘッド支持アーム７７を介して、磁気ヘッド１３が取り付けられている。
【００４０】
連結アーム１２は、ほぼＬ字型に屈曲されて形成され、一端側を止めネジ１１９，１１９によって上記光学ピックアップ１０の光学ブロック部に取り付けられ、他端側を光学ブロックの後方側において上方側に向けている。この連結アーム１２の他端側部分は、メカシャーシ２の後側縁部よりも後方側に位置しており、このメカシャーシ２に当接することなく、光学ピックアップ１０とともに移動操作される。連結アーム１２の他端部は、メカシャーシ２の上面部よりも上方側に突出されている。この連結アームの他端部、すなわち、上端部の近傍には、支軸７４を介して、磁気ヘッド支持板１３２の後側縁部分が回動可能に取り付けられている。この磁気ヘッド支持板１３２は、前側縁部分を前方側に向けており、この前端側部分を上下方向、すなわち、メカシャーシ２に対する接離方向に回動可能となしている。この磁気ヘッド支持板１３２には、位置決め突片８７が側方側に向けて突設されている。一方、連結アーム１２の他端部近傍からは、前方側に向けて位置決めアーム７５が突設されている。位置決め突片８７は、位置決めアーム７５の上方側に位置しており、この位置決めアーム７５の先端部近傍に当接したときに下方側への移動を規制されて位置決めされる。磁気ヘッド支持板１３２には、磁気ヘッド支持アーム７７の基端側が取り付けられている。この磁気ヘッド支持アーム７７は、先端側を前方側に向けて支持されており、先端部近傍が側方側に屈曲されている。磁気ヘッド支持板１３２には、ジンバルバネ７９の基端側が取り付けられている。ジンバルバネ７９の先端側には、磁気ヘッド１３が取り付けられるとともに、このジンバルバネ７９の一部が屈曲形成されて吊り下げ部１１７が形成されている。この吊り下げ部１１７は、磁気ヘッド支持アーム７７の先端部近傍の屈曲部に係合して吊り下げられている。
【００４１】
このようにして支持された磁気ヘッド１３は、光学ピックアップ１０の対物レンズ１３０の上方側に位置し、この対物レンズ１３０に対向されている。磁気ヘッド１３は、磁気ヘッド支持板１３２が連結アーム１２に対して回動されることにより、メカシャーシ２に接離する上下方向に移動可能であるとともに、位置決め突片８７及び位置決めアーム７５の当接によって、下方向についての位置決めをなされる。また、支軸７４の一端側には、捻りコイルバネ７６が巻装されている。捻りコイルバネ７６は、コイル部を位置決めアーム７５の基端側部分と磁気ヘッド支持板１３２との間に介在させるとともに各アーム部を位置決めアーム７５及び磁気ヘッド支持板１３２に係止させており、この磁気ヘッド支持板１３２を連結アーム１２に対して他端側方向に押圧して、磁気ヘッド支持板１３２の側方方向についての位置決めを行うとともに、磁気ヘッド支持板１３２を連結アーム１２に対して、磁気ヘッド１３が下方側に向かう方向に回動付勢している。なお、磁気ヘッド１３への給電は、磁気ヘッド１３及び磁気ヘッド支持アーム７７の基端側間に配設されたフレキシブル基板１３３を介して行われる。
【００４２】
〔６〕カートリッジホルダの構成
メカシャーシ２の上面部には、カートリッジホルダ３が配設されている。このカートリッジホルダ３は、図１２及至図１４及び図１８、図１９に示すように、各ディスクカートリッジ２０，２２１が前方側より挿入され、挿入されたディスクカートリッジ２２０，２２１を保持し得るように、天板部と、この天板部の両側縁部より下方側に垂下された左右側壁部１４９，１５０と、これら各側壁部の下端部より内方側に屈曲された支持片部１５１，１５２とから構成されている。カートリッジホルダ３は、金属板材料を屈曲形成して一体的に形成されている。このカートリッジホルダ３において、各ディスクカートリッジ２２０，２２１は、前方側より、天板部の下方側の各壁部１４９，１５０間に挿入され、各支持片部１５１，１５２により下方側の主面の両側部分を支持されて保持される。このとき、ディスクカートリッジ２２０，２２１は、下方側の主面のほぼ全面を下方側に臨ませており、チャッキング用開口部２１３、光学ピックアップ用開口部２２２、各位置決め穴２０９，２１０及び識別用穴２２４をカートリッジホルダ３の下方側に臨ませている。
【００４３】
このカートリッジホルダ３の一方の側壁部１５０のほぼ中途部には、このカートリッジホルダ３の内方側に向けて、シャッタ開放片１３６が突設されている。このシャッタ開放片１３６は、このカートリッジホルダ３に上記ディスクカートリッジ２２０，２２１が挿入されたとき、シャッタ部材２０６，２１７の連結部又は支持部の前端部に当接し、このディスクカートリッジ２２０，２２１がカートリッジホルダ３内に収納されたとき、シャッタ部材２０６，２１７を開蓋状態となす。また、一方の側壁部１５０の前方側部分には、このカートリッジホルダ３の内方側に向けて膨出するようにして、シャッタ閉蓋バネ１３５が配設されている。このシャッタ閉蓋バネ１３５は、このカートリッジホルダ３に上記ディスクカートリッジ２２０，２２１が挿入されたとき、シャッタ部材２０６，２１７のシャッタ閉蓋孔２０８に係合し、このディスクカートリッジ２２０，２２１がカートリッジホルダ３より抜き出されるとき、シャッタ部材２０６，２１７を閉蓋状態となす。
【００４４】
さらに、カートリッジホルダ３の天板部には、後方側部分の両側に、一対の抑えバネ１３４，１３７が取り付けられている。これら抑えバネ１３４，１３７は、基端側を天板部の上面部に固定され、先端側を後方側に向けている。これら抑えバネ１３４，１３７の先端側部分は、天板部の後縁側の両側部分に設けられた透孔１３８，１３９を介して、天板部の下方、すなわち、カートリッジホルダ３の内方側に進入している。したがって、これら抑えバネ１３４，１３７は、カートリッジホルダ３内にディスクカートリッジ２２０，２２１が挿入されると、これらディスクカートリッジ２２０，２２１のカートリッジ２０５，２１６の上方側の主面の後縁側部分を押圧支持する。
【００４５】
このカートリッジホルダ３は、後方側の両側部分に、軸方向をこのカートリッジホルダ３の後縁部に平行となした左右一対の支軸８６，８６を有している。これら支軸８６，８６は、メカシャーシ２の後縁部近傍に取り付けられた左右一対の軸受け部材９８，９０に挿通され、カートリッジホルダ３を支軸８６，８６の軸回りに回動可能となしている。このカートリッジホルダ３は、図１２に示すように、上方側に回動されてメカシャーシ２より離間された状態において、ディスクカートリッジ２２０，２２１が挿入され、このディスクカートリッジ２２０，２２１を保持した後、図１３に示すように、下方側に回動されてメカシャーシ２上に載置されると、保持しているディスクカートリッジ２２０，２２１を、メカシャーシ２上の所定位置に装着させる。このようにメカシャーシ２上に装着されたディスクカートリッジ２２０，２２１は、各抑えバネ１３４，１３７によりメカシャーシ２側に押圧支持される。
【００４６】
磁気ヘッド支持板１３２及び磁気ヘッド支持アーム７７は、カートリッジホルダ３の上方側に位置している。このカートリッジホルダ３の天板部には、磁気ヘッド支持アーム７７及びジンバルバネ７９の光学ピックアップ１０の移動に伴う移動可能領域に対応して、開口部６３が形成されている。すなわち、磁気ヘッド１３は、開口部６３を介して、カートリッジホルダ３内に保持されたディスクカートリッジ２２０，２２１の上面側の主面に臨んでいる。
【００４７】
カートリッジホルダ３の一側面部、すなわち、一方の側壁部１５０の外側面部には、図２８及至図３０に示すように、第１のクリックストップリンク２４の基端側が支軸３１８を介して回動可能に取り付けられている。この第１のクリックストップリンク２４の先端側は、前方側に向けられており、メカシャーシ２の上面部の一側縁部近傍にスライド可能に取り付けられたクリックストップスライダ２３に回動可能に取り付けられている。すなわち、クリックストップスライダ２４は、長手方向を前後方向となし、長手方向に沿って形成された長穴３２３にメカシャーシ２上に植設された支持ピン３２２を挿通させ、前後方向にスライド可能となされている。このクリックストップスライダ２３は、上方側に向けて屈曲形成された支持片部３２０を有している。第１のクリックストップリンク２４の先端側は、この支持片部３２０に対して、支軸３２８を介して取り付けられている。そして、第１のクリックストップリンク２４の支軸３２８よりもさ更に先端側には、クリックストップ突起３１９が突設されている。一方、支持片部３２０には、クリックストップ溝３２１が形成されている。
【００４８】
カートリッジホルダ３が、図２９中矢印ク方向の上方側に回動されると、クリックストップスライダ２３は、第１のクリックストップリンク２４を介して、図２９中矢印サ方向の後方側にスライド操作される。すると、クリックストップ突起３１９は、図２９中矢印ケで示すように、支持片部３２０の上方側よりこの支持片部３２０の側方側に第１のクリックストップリンク２４の先端側を弾性変形させつつ移動し、カートリッジホルダ３が所定角度まで回動されたときに、クリックストップ溝３２１に嵌合する。このとき、カートリッジホルダ３は、メカシャーシ２より離間された位置において保持される。そして、カートリッジホルダ３が、図２９中矢印コ方向のメカシャーシ２側に回動されるときには、クリックストップ突起３１９がクリックストップ溝３２１より外れ、クリックストップスライダ２３は、図２９中矢印シ方向の前方側にスライドされて初期位置に復帰する。
【００４９】
〔７〕ディスクカートリッジ排出機構
メカシャーシ２の上面側には、後方側に位置して、カートリッジホルダ３に保持されていたディスクカートリッジ２２０，２２１を前方側に排出するためのディスクカートリッジ排出機構が設けられている。ディスクカートリッジ排出機構は、図２８に示すように、基端側をメカシャーシ２の後縁部近傍に回動可能に取り付けられたカートリッジ排出レバー３０２と、このカートリッジ排出レバー３０２を後方側位置にロックさせる排出レバーロックスライダ３０９とを備えている。
【００５０】
カートリッジ排出レバー３０２は、基端側をメカシャーシ２の後縁部近傍に形成された透孔３０４を介してメカシャーシ２の下方側に進入させ、このメカシャーシ２の下面に対して、基端側を支軸３０３を介して回動可能に支持されている。このカートリッジ排出レバー３０２の中途部の下側縁部には、係合突片３０７が下方側に向けて突設されている。この係合突片３０７は、メカシャーシ２に形成された円弧状のスリット３０８に進入している。このカートリッジ排出レバー３０２は、スリット３０８によって回動可能な範囲を規定されており、先端側を斜め前方に向ける位置より、先端側を側方側に向けてメカシャーシ２の後縁部に沿わされる位置に亘って回動可能とされている。このカートリッジ排出レバー３０２の基端側部分に設けられたバネ係止片３０５とメカシャーシ２の下面部に設けられたバネ係止突片との間には、引っ張りコイルバネ１２９が張架されている。この引っ張りコイルバネ１２９は、カートリッジ排出レバー３０２を、図２８中矢印イで示すように、先端側を前方側に移動させる方向に回動付勢している。
【００５１】
排出レバーロックスライダ３０９は、メカシャーシ２の上面部に植設された支持ピン３１０，３１１により、側方方向にスライド可能に支持されている。この排出レバーロックスライダは、一端側を、クリックストップスライダ２３に取り付けられこのクリックストップスライダ２３の後方側に延在されたロックリリースバネ３２４の後端部に臨ませ、他端側を、係合突片３０７が進入されたスリット３０８の後端側部分に臨ませている。この排出レバーロックスライダ３０９の一端側部分には、上方側に向けて、ロックリリースピン３１７が植設されている。ロックリリースバネ３２４は、後端側が上方側に向けて弾性変位可能であるとともに、後端部近傍を上記排出レバーロックスライダ３０９の上面部上に位置させている。このロックリリースバネ３２４は、後端部が一側側に向けて傾斜されたテーパ部３２５となされており、後端側部分に、一側に向けて開放された切り欠き部３２６とこの切り欠き部３２６の後縁部に設けられた傾斜縁部３２７とを備えている。この排出レバーロックスライダ３０９の他端部は、係合突片３０７に向けて傾斜されたテーパ部３１６となされている。排出レバーロックスライダ３０９は、中途部に有するバネ係止片２１３とメカシャーシ２に設けられたバネ係止突起３１３との間に張架された引っ張りコイルバネ３１５により、図２８中矢印ウ方向の他端側方向、すなわち、スリット３０８の側に付勢されている。
【００５２】
このカートリッジ排出機構においては、図２８に示すように、カートリッジホルダ３がメカシャーシ２側に位置している初期状態にあっては、カートリッジ排出レバー３０２が前方側に位置しており、ロックリリースバネ３２４もクリックストップスライダ２３とともに前方側に位置している。カートリッジホルダ３が、図２８中矢印ア方向の上方側に回動されると、ロックリリースバネ３２４が、図２８中矢印カ方向の後方側に移動する。このとき、ロックリリースバネ３２４は、テーパ部３２５によってロックリリースピン３１７を一側方向に押圧し、排出レバーロックスライダ３０９を、引っ張りコイルバネ３１５の付勢力に抗して一側方向にスライドさせる。そして、カートリッジホルダ３が所定角度まで回動されると、ロックリリースバネ３２４は、切り欠き部３２６をロックリリースピン３１７に対応させる位置まで移動される。すると、排出レバーロックスライダ３０９は、ロックリリースピン３１７を切り欠き部３２６内に側方側より進入させるので初期位置に復帰する。すなわち、カートリッジホルダ３が上方側に回動されると、排出レバーロックスライダ３０９は、図２８中矢印エで示すように、カートリッジホルダ３の回動中において一旦は一側方向にスライドされた後、カートリッジホルダ３の回動が完了したときに初期位置に復帰する。
【００５３】
そして、カートリッジホルダ３にディスクカートリッジ２２０，２２１が挿入されると、このディスクカートリッジ２２０，２２１は、カートリッジ２０５，２１６の前端面部により、カートリッジ排出レバー３０２の先端側を押圧し、図２８中矢印オで示すように、このカートリッジ排出レバー３０２を引っ張りコイルバネ１２９の付勢力に抗して回動させる。カートリッジ排出レバー３０２は、後方側に回動されると、係合突起３０７により排出レバーロックスライダ３０９の他端部であるテーパ部３１６を押圧し、排出レバーロックスライダ３０９を一端側方向にスライドさせる。この排出レバーロックスライダ３０９は、図２８中矢印エで示すように、一旦は一端側方向にスライドされるが、ディスクカートリッジ２２０，２２１のカートリッジホルダ３への挿入が完了してカートリッジ排出レバー３０２が後方側位置に至ると、係合突起３０７が搬出レバーロックスライダ３０９の他端部よりも後方側に至るために、引っ張りコイルバネ３１５の付勢力により初期位置に復帰する。このとき、カートリッジ排出レバー３０２は、後方側位置にてロックされている。
【００５４】
カートリッジホルダ３をメカシャーシ２側に回動させるときには、図３０に示すように、ロックリリースバネ３２４は、傾斜縁部３２７をロックリリースピン３１７の上端部に摺接させて、上方側に弾性変形されつつ前方側に移動される。このとき、排出レバーロックスライダ３０９がスライドされることはない。このとき、カートリッジホルダ３がディスクカートリッジ２２０，２２１を保持している場合には、このディスクカートリッジ２２０，２２１は、カートリッジホルダ３内に保持されたままメカシャーシ２側に移動される。
【００５５】
ディスクカートリッジ２２０，２２１を保持したカートリッジホルダ３をメカシャーシ２より離間させて上方側に回動させるときには、上述のように、排出レバーロックスライダ３０９が、図２８中矢印エで示すように、このカートリッジホルダ３の回動中において一旦一端側方向にスライドされる。このように排出レバーロックスライダ３０９が一端側にスライドされたときには、カートリッジ排出レバー３０２に対するロックが解除され、このカートリッジ排出レバー３０２は、上記引っ張りコイルバネ１２９の付勢力により、図２８中矢印イ方向の前方側に回動されて、ディスクカートリッジ２２０，２２１をカートリッジホルダ３の前方側に排出する。
【００５６】
〔８〕磁気ヘッドを昇降操作する構成
本発明に係る記録再生装置は、カートリッジホルダ３の上面部に配設された磁気ヘッド昇降板２０及び伝達スライダ１９と、メカシャーシ２の下面部に配設され伝達スライダ１９をスライド操作するための磁気ヘッド昇降スライダ９４によって、磁気ヘッド１３の昇降操作が行われる。
【００５７】
磁気ヘッド昇降板２０は、図１２及至図１４及び図１８、図１９に示すように、開口部６３の後方側部分を閉蓋するようにして、磁気ヘッド支持アーム７７及び上記ジンバルバネ７９の下方側に位置して配設されている。この磁気ヘッド昇降板２０は、後縁側部分を支軸７８を介して、カートリッジホルダ３の天板部に対して回動可能に支持され、前縁側部分を上下方向に移動可能としている。この磁気ヘッド昇降板２０は、上方側に回動されたときには、図１２及び図１３に示すように、ジンバルバネ７９を磁気ヘッド支持アーム７７の側に押し上げるとともに、このジンバルバネ７９及び磁気ヘッド支持アーム７７を支軸７４回りに回動させて上方側に押し上げる。この磁気ヘッド昇降板２０は、下方側に回動されたときには、前縁側部分の一部を上記カートリッジホルダ３の天板部に当接させて該天板部にほぼ面一状態となされて位置決めされる。このとき、磁気ヘッド支持アーム７７は、位置決め突片８７が位置決めアーム７５に当接する位置まで下方側に回動される。また、ジンバルバネ７９は、吊り下げ部１１７が磁気ヘッド支持アーム７７の先端側の屈曲部に吊り下がる位置まで、磁気ヘッド支持アーム７７よりも下方側に降下する。したがって、磁気ヘッド１３の下面部より磁気ヘッド支持アーム７７の上面部までの距離は、磁気ヘッド昇降板２０が上方側に回動されているときには、図１３中矢印Ｌで示すように、図１４中矢印Ｍで示す磁気ヘッド昇降板２０が下方側に回動されたときの記磁気ヘッド１３の下面部より該磁気ヘッド支持アーム７７の上面部までの距離よりも短い。
【００５８】
磁気ヘッド昇降板２０は、基端側をカートリッジホルダ３の上面部に取り付けピン１４２により取り付けられた板バネ１４１の先端側部分によって、下方に向かって回動付勢されている。すなわち、板バネ１４１は、先端側部分を磁気ヘッド昇降板２０上に載置させている。
【００５９】
伝達スライダ１９は、カートリッジホルダ３の上面部の他側部分に、前後方向にスライド可能に取り付けられている。この伝達スライダ１０は、互いに平行な支持溝１４６，１４７を有し、これら支持溝１４６，１４７にカートリッジホルダ３の上面部に突設された支持ピン１４３，１４４を対応させて挿通させている。この伝達スライダ１９は、一側部分、すなわち、カートリッジホルダ３のほぼ中央部に位置し磁気ヘッド昇降板２０の他側部分に臨む部分に押し上げ突片８０を有している。この押し上げ突片８０の前端部は、上方側に傾斜されたテーパ部８１とされている。磁気ヘッド昇降板２０の他側部分の下面には、押し上げ突片８０に対応して傾斜面部８２が形成されている。この傾斜面部８２は、磁気ヘッド昇降板２０の一部が上方側に屈曲されることにより、後方側に傾斜されたテーパ部として形成されている。
【００６０】
伝達スライダ１９は、後方側より前方側にスライドされると、テーパ部８１を磁気ヘッド昇降板２０の傾斜面部８２に摺接させつつ、押し上げ突片８０を磁気ヘッド昇降板２０とカートリッジホルダ３の上面部との間に進入させる。すると、磁気ヘッド昇降板２０は、板バネ１４１の付勢力に抗して上方側に回動される。伝達スライダ１９は、前方側より後方側にスライドされると、テーパ部８１を磁気ヘッド昇降板２０の傾斜面部８２に摺接させつつ、押し上げ突片８０を磁気ヘッド昇降板２０とカートリッジホルダ３の上面部との間より後方側に退出させる。すると、磁気ヘッド昇降板２０は、板バネ１４１の付勢力により下方側に回動されて初期位置に復帰する。この伝達スライダ１９は、図１２及至図１４に示すように、他側部分に、メカシャーシ２側に垂下された連係アーム部８３を有している。この連係アーム部８３は、メカシャーシ２の他側縁部近傍に設けられた透孔８４を介してメカシャーシ２の下方側に進入されている。
【００６１】
磁気ヘッド昇降スライダ９４は、図１５及至図１７に示すように、メカシャーシ２の下面側の他側部分に前後方向にスライド可能に取り付けられている。この磁気ヘッド昇降スライダ９４は、互いに平行な支持溝９８，９９を有し、これら支持溝９８，９９にメカシャーシ２の下面に突設された支持ピン９６，９７を対応させて挿通させている。この磁気ヘッド昇降スライダ９４は、ＣＰＵ３３８により制御されるステッピングモータ８５により、この記録再生装置の動作モードに応じて前後方向に移動操作される。すなわち、ステッピングモータ８５は、メカシャーシ２の下面の後方側部分に取り付けられている。このステッピングモータ８５の駆動軸には、駆動ギヤ９１が取り付けられている。駆動ギヤ９１は、メカシャーシ２の下面に回転可能に支持された第１の伝達ギヤ９２に噛合している。この第１の伝達ギヤ９２は、ウォームギヤ部を有しており、このウォームギヤ部をメカシャーシ２の下面に回転可能に取り付けられた第２の伝達ギヤ９３のウォームホイール部に噛合させている。この第２の伝達ギヤ９３は、ピニオンギヤ部を有しており、このピニオンギヤ部を、磁気ヘッド昇降スライダ９４に設けられたラックギヤ部１３１に噛合させている。この磁気ヘッド昇降スライダ９４は、ステッピングモータ８５の駆動力により前後方向に移動操作される。ステッピングモータ８５は、ＣＰＵ３３８よりパルスを供給されることにより駆動され、供給されたパルスの数に応じた回転角度だけ回転駆動する。
【００６２】
磁気ヘッド昇降スライダ９４の後端側には、透孔８４に対応する位置に、係合孔１１４が設けられている。この係合孔１１４には、透孔８４を介して伝達スライダ１９の連係アーム部８３が挿通係合されている。すなわち、磁気ヘッド昇降スライダ９４が前後方向にスライドされると、伝達スライダ１９がカートリッジホルダ３上を前後方向にスライドされ、更に磁気ヘッド昇降板２０が回動されるので、磁気ヘッド１３は上下方向に昇降操作される。なお、連係アーム部８３は、カートリッジホルダ３の支軸８６を中心とするほぼ円弧状に形成されており、該カートリッジホルダ３が該支軸８６を中心に回動されても、常に、上記係合孔１１４に挿通係合されている。
【００６３】
そして、磁気ヘッド昇降スライダ９４の中途部には、前方側に向けられた平坦状の当接部１１０が設けられている。メカシャーシ２の下面には、この当接部１１０に対応する位置にスライダ初期位置検出スイッチ１０９が配設されている。スライダ初期位置検出スイッチ１０９は、磁気ヘッド昇降スライダ９４が前方に向かってスライドされた初期位置にあるとき、当接部１１０に押圧操作されて、磁気ヘッド昇降スライダ９４が初期位置にあることを示す検出信号をＣＰＵ３３８に送る。磁気ヘッド昇降スライダ９４が初期位置にあるときには、伝達スライダ１９が前方位置に移動されているので、図１３に示すように、磁気ヘッド１３は上方側位置に保持されている。なお、磁気ヘッド昇降スライダ９４の位置は、スライダ初期位置検出スイッチ１０９が検出信号を出力したときの後のステッピングモータ８５に供給されたパルス数をカウントすることにより求めることができる。
【００６４】
磁気ヘッド昇降スライダ９４の他側縁部には、係止突起１１１が側方に向かって突設されている。この係止突起１１１は、メカシャーシ２の他側縁部近傍に形成された透孔１１２を介して上方側に臨んでいる。そして、カートリッジホルダ３の他方の側の側壁部１４９の下縁位置には、被係止爪８８が突設されている。この被係止爪８８は、下方側に向けて突設された爪の下端側部分が内方側に屈曲された鈎状に形成されており、カートリッジホルダ３が下方側に回動されてメカシャーシ２上に載置されたとき、透孔１１２を介して、メカシャーシ２の下方側に進入されるようになされている。この被係止爪８８は、透孔１１２内に進入されたとき、磁気ヘッド昇降スライダ９４が初期位置にある場合には、係止突起１１１の後方側に位置する。この被係止爪８８は、透孔１１２に進入されていて、磁気ヘッド昇降スライダ９４が後方側に移動されると、図１４に示すように、係止突起１１１に係止され、透孔１１２より抜け出しての上方側への移動が阻止される。すなわち、カートリッジホルダ３は、メカシャーシ２側に回動された後、磁気ヘッド昇降スライダ９４が後方側にスライドされると、被係止爪８８を係止突起１１１により係止されてメカシャーシ２より離間することが阻止される。
【００６５】
〔９〕メカシャーシを支持する構成
メカシャーシ２は、ベース部材１に対して、上述したように、いわゆるフローティング支持されている。すなわち、メカシャーシ２は、図２２に示すように、ベース部材１の内方側に向けて突設された４個の支持片１９０，１９１，１９２，１９３に対して、図３１に示すように、それぞれダンパ機構１４を介して支持されている。
【００６６】
ダンパ機構１４は、図３２に示すように、メカシャーシ２の下面部より下方側に向けて植設された取付部材となる軸部３３０を有している。この軸部３３０は、メカシャーシ２側である基端側（上端側）に第１のフランジ部３３１を有し、また、先端側（下端側）には第２のフランジ部が取り付けられている。
【００６７】
軸部３３０の基端部近傍は、メカシャーシ２に取り付けるための取付部３３０ａとなされている。すなわち、この取付部３３０ａは、基端部より軸方向に沿って形成されたカシメ用凹部３３０ｃを有している。この取付部３３０ａは、メカシャーシ２に設けられた取り付け用孔に挿入された後、カシメ用凹部３３０ｃを外方側に拡径させる方向に変形されて、いわゆるカシメ加工により、メカシャーシ２に取り付けられる。第１のフランジ部３３１は、取付部３３０ａがメカシャーシ２に取り付けられた状態においては、メカシャーシ２に当接される。この軸部３３０の第１のフランジ部３３１よりも先端側の部分は、円柱状の支軸部３３０ｂとなされている。この支軸部３３０ｂの先端部には、この支軸部３３０ｂの軸に沿ってネジ穴が形成されている。
【００６８】
第２のフランジ部は、中心部にネジ部を有する止めネジ３３２の頭部３３２ａであって、ネジ部が軸部３３０のネジ穴に螺入されることにより、支軸部３３０ｂの先端部に取り付けられている。この頭部３３２ａのネジ部が設けられた側の反対側には、ドライバが挿入係合される十字溝部３３２ｂが形成されている。
【００６９】
第１のフランジ部３３１及び頭部３３２ａ間には、振動吸収部材となるダンパ３３４が介在配設されている。ダンパ３３４は、ブチルゴム等の弾性的な材料により、ほぼ円筒状に形成されており、中心孔内に軸部３３０の支軸部３３０ｂを挿通させ、上端部及び下端部をそれぞれ第１のフランジ部３３１及び頭部３３２ａに当接させている。のダンパ３３４は、外周面にこのダンパ３３４を囲むようにして係合溝が形成され、この係合溝に各支持片１９０，１９１，１９２，１９３に穿設された支持孔１９４，１９５，１９６，１９７の内周縁部を係合させている。このダンパ３３４は、ベース部材１より伝達される振動を吸収して、この振動のメカシャーシ２への伝幡を防止する。このダンパ機構１４は、ダンパ３３４の外側に嵌装され、メカシャーシ２の下面と各支持片部１９０，１９１，１９２，１９３の上面との間に介在される弾性体となる圧縮コイルバネ３３３を有している。この圧縮コイルバネ３３３は、弾発力により、メカシャーシ２を上方側に押圧支持する。また、圧縮コイルバネ３３３のメカシャーシ２側の端部は、第１のフランジ部３３１の外側に嵌装されている。
【００７０】
なお、支軸部３３０ｂには、ダンパ３３４の変形を伴う軸部３３０に対するこの軸部３３０の軸に直交する方向のメインシャーシ１の移動可能範囲を確保するため、外周面のメインシャーシ１に対応する位置に縮径部３３０ｆが形成されている。また、第１のフランジ部３３１の外周面は、圧縮コイルバネ３３３の脱落を防止するため、メカシャーシ２の側が縮径された円錐面形状とされている。
【００７１】
そして、上蓋部を構成するカバー支持板４の下面部には、図３１に示すように、弾性部材となる一対の板バネ６１，６２の基端側部分が、先端側を下方側に向けて突出させるように取り付けられている。カバー支持板４が、後述するように、閉蓋状態においてベース部材１に対して固定されたとき、メカシャーシ２及びカートリッジホルダ３は、各ダンパ機構１４と、各板バネ６１，６２とにより、図３１中矢印ソ及方向び矢印セ方向の上下方向より挟持された状態で支持される。すなわち、メカシャーシ２の高さ位置は、各ダンパ機構１４の圧縮コイルバネ３３３の弾発力と、各板バネ６１，６２の弾発力及びメカシャーシ２の自重とが均衡する位置、すなわち、釣合いの位置となる。
【００７２】
したがって、この記録再生装置においては、メカシャーシ２及びカートリッジホルダ３を含む振動系の共振周波数（ｆ０）を低下させることが可能であり、各ダンパ機構１４による振動吸収を充分に行えるように構成できる。また、ダンパ３３４は、メカシャーシ２の重量を支えることによる変形が少ないので、いわゆるクリープ（亀裂）を生じ難く、良好な耐久性を実現することができる。さらに、上記メカシャーシ２及びカートリッジホルダ３は、上記弾性体及び弾性部材により挟持されるようにして支持されるので、自然状態における位置（中立位置）を正確に維持されることが可能であり、上記ベース部材１に対する位置関係を正確に維持できる。また、上記カートリッジホルダ３は、上記各板バネ６１，６２により、上記メカシャーシ２の上面部側に押圧されるので、上記ディスクカートリッジ２２０，２２１を良好に該メカシャーシ２に対して押圧支持することができる。上記ディスクカートリッジ２２０，２２１の上記メカシャーシ２側に対する押圧力は、例えば、２００ｇｆ程度である。
【００７３】
なお、上記各板バネ６１，６２の先端側には、これら板バネ６１，６２と上記カートリッジホルダ３の上面部との間に介在される振動吸収部材を取り付けてもよい。
【００７４】
なお、上記外カバー５の内側部には、図２３に示すように、当接片１９８が突設されている。この当接片１９８は、この外カバー５が上記ベース部材１に取り付けられたとき、該ベース部材１に設けられた透孔を介して、このベース部材１の内方側に進入する。この当接片１９８は、上記メカシャーシ２の上方側に位置し、このメカシャーシ２の上方側への移動範囲を規制する。したがって、上記メカシャーシ２は、上記上蓋部が上方側に回動され開蓋された状態においては、上記各ダンパ機構１４の圧縮コイルバネ３３３の弾発力により上方側に付勢され、上記当接片１９８に側縁部近傍を当接されることによって位置決めされている。
【００７５】
〔１０〕上蓋部の構成
上蓋部は、図９に示すように、カバー支持板４と、上カバー７とから構成されている。カバー支持板４は、金属の如き板材からなる板材より、主板部と、この主板部の後端縁部に支軸５９を介して回動可能に取り付けられた取り付け板部５８とを有している。取り付け板部５８は、バッテリーケース８の後面部に対し、上記下カバー６とともに、いわゆる共締めによりネジ止めされている。このカバー支持板４の主板部は、メカシャーシ２の上方側に、カートリッジホルダ３の上面を覆うようにして支持される。このカバー支持板４の主板部は、カートリッジホルダ３の上面に対して接離する方向に回動可能とされている。上カバー７は、カバー支持板４の主板部の上面に、この主板部を覆うように取り付けられている。
【００７６】
カバー支持板４の主板部の一側縁部には、図９に示すように、リンク取り付け板５３が垂下されている。このリンク取り付け板５３には、第２のクリックストップリンク４５の後端側部分が、支軸４６を介して回動可能に取り付けられている。この第２のクリックストップリンク４５の前端側部分は、支軸４８を介して、ベース部材１の一側の上縁部に上方に向けて突設されたクリックストップ片５０の係合孔５１に係合されている。この係合孔５１は、長手方向を前後方向とした長孔状に形成されており、第２のクリックストップリンク４５の前端側を前後方向への移動及び回動を可能となして支持している。この第２のクリックストップリンク４５の前端部近傍には、クリックストップ突起４９が突設されている。クリックストップ片５０の係合孔５１よりも前方側の位置には、クリックストップ孔５２が穿設されている。上蓋部がメカシャーシ２の上方側部分を閉蓋しているときには、図９に示すように、クリックストップ突起４９は、クリックストップ孔５２よりも前方側に位置している。上蓋部が、図９中矢印Ｂで示すように、開蓋されると、第２のクリックストップリンク４５の前端側部分は、図９中矢印Ｃで示すように、係合孔５１に沿って後方に移動しつつ支軸４８回りに回動され、クリックストップ突起４９をクリックストップ孔５２内に挿入係合させる。このとき、上蓋部は開蓋状態に保持される。
【００７７】
上カバー７の前端縁部近傍の内側側部分には、図２５及至図２７に示すように、被係止部材３０１が突設されている。被係止部材３０１は、ベース部材１の前面部に取り付けられたロックスライダ１１５により係止されて、上蓋部を閉蓋状態に保持する。
【００７８】
ロックスライダ１１５は、長手方向に支持スリット１７７，１７８を有し、これら支持スリット１７７，１７８にベース部材１の前面部に植設された支持ピン１６３，１６４を挿通させて、ベース部材１に対して側方に沿ってスライド可能に支持されている。このロックスライダ１１５は、一端側に、上方側に突出されたロック片部１８１を有している。このロック片部１８１の上端側部分は、他端側方向に屈折された鈎形状となされており、下方側に向いた係止部１８２を有している。このロックスライダ１１５は、図２６に示すように、上蓋部が閉蓋状態であるときに、係止部１８２を被係止部材３０１の上縁部に係合させ、上蓋部の開蓋を阻止する。このロックスライダ１１５は、各支持スリット１７７，１７８間にバネ配設孔１７９を有している。このロックスライダ１１５は、バネ配設孔１７９内に配設された圧縮コイルバネ１６８により、図２０中矢印Ｔ方向の他側方向に付勢されて、被係止部材３０１を係止し得る位置で位置決めされている。圧縮コイルバネ１６８は、一端側をバネ配設孔１７９の縁部のバネ係合片１８０に係合させ、他端側をベース部材１の前面部に形成されたバネ配設孔１５６の縁部のバネ係合片１５７に係合させている。
【００７９】
ロック片部１８１は、上端部の他側部分が、上方側に向けて傾斜されたテーパ状とされており、図２５中矢印Ｗで示すように、上蓋部が閉蓋されるときには、被係止部材３０１によりこのテーパ状の部分を摺接されつつ押圧されて、図２５中矢印Ｘで示すように、ロックスライダ１１５を一側方向に向かって移動させる。上蓋部の閉蓋が完了すると、ロック片部１８１は、係止部１８２が被係止部材３０１よりも上方側となるため、圧縮コイルバネ１６８の付勢力により、図２６中矢印Ｙで示すように、初期位置に復帰し、図２６に示すように、被係止部材３０１を係止する。
【００８０】
そして、イジェクトスライダ１１６は、長手方向に支持スリット１７０，１７４を有し、これら支持スリット１７０，１７４に上記ベース部材１の前面部に植設された支持ピン１６２，１６７を挿通させて、該ベース部材１に対して側方方向にスライド可能に支持されている。このイジェクトスライダ１１６は、ほぼ中央部に、ロックスライダ１１５に対応した開口部１７１を有しており、ロックスライダ１１５に当接することがないようにしている。この開口部１７１の他端側の縁部には、当接部１７６が設けられている。この当接部１７６は、ロックスライダ１１５の他端部に対向している。このイジェクトスライダ１１６は、開口部１７１と支持スリット１７４との間にバネ配設孔１７２を有している。このイジェクトスライダ１１６は、バネ配設孔１７２内に配設された圧縮コイルバネ１６９により、図２０中矢印Ｕ方向の他側方向に付勢されて、当接部１７６とロックスライダ１１５の他端部との間に空隙を形成し得る位置で位置決めされている。圧縮コイルバネ１６９は、一端側をバネ配設孔１７２の縁部のバネ係合片１７３に係合させ、他端側をベース部材１の前面部に形成されたバネ配設孔１５９の縁部のバネ係合片１６０に係合させている。
【００８１】
ロック片部１８１の先端側の後面部には、検出ピン１８３が突設されている。カバー支持板４の上面部の前端縁近傍には、伝達アーム６４及び蓋ロック検出スイッチ６０が取り付けられている。蓋ロック検出スイッチ６０は、押圧子を一側側に向けて取り付けられている。伝達アーム６４は、一端側の被押圧部２００を被係止部材３０１の上方側に位置させ、他端側の押圧部１９９を蓋ロック検出スイッチ６０の押圧子に臨ませている。ロック片部１８１が被係止部材３０１を係止した状態においては、図２６に示すように、検出ピン１８３が伝達アーム６４の被押圧部２００を押圧し、この伝達アーム６４は、押圧部１９９により、蓋ロック検出スイッチ６０の押圧子を押圧操作する。そして、図２５に示すように、上蓋部の閉蓋が完了していないときや、図２７に示すように、この上蓋部が閉蓋されていてもロックスライダ１１５が圧縮コイルバネ１６８の付勢力に抗してスライドされているときには、蓋ロック検出スイッチ６０は押圧操作されない。すなわち、蓋ロック検出スイッチ６０が押圧操作されていることを検出することにより、上蓋部が閉蓋され、かつ、被係止部材３０１がロックスライダ１１５により係止されていることを検出することができる。この蓋ロック検出スイッチ６０は、図３６に示すように、スイッチ（Ｂ）として、上記ＣＰＵ３３８に接続されている。
【００８２】
そして、磁気ヘッド昇降スライダ９４の前端側には、図１５及至図１７に示すように、イジェクト伝達部材９５が取り付けられている。このイジェクト伝達部材９５は、前側及び後側の取付孔１０３，１０２を有しており、磁気ヘッド昇降スライダ９４に植設された前側及び後側の支持ピン１０１，１００をこれら取付孔１０３，１０２に対応して挿通させて、この磁気ヘッド昇降スライダ９４に取り付けられている。前側取付孔１０３は、前後方向及び側方方向について前側支持ピン１０１の太さよりも大きい。また、後側取付孔１０２は、前後方向を長手方向とする長穴状に形成され、側方に向かう方向については後側支持ピン１００の太さにほぼ対応している。すなわち、イジェクト伝達部材９５は、磁気ヘッド昇降スライダ９４に対して、図１５中矢印Ｈで示すように、後端側を中心として回動可能であるとともに、図１５中矢印Ｊで示すように、前後方向にスライド可能となされている。このイジェクト伝達部材９５は、前方側の一側に突設されたバネ係止片１０６と磁気ヘッド昇降スライダ９４の前端側の一側側に突設されたバネ係止片１０４との間に張架された引っ張りコイルバネ１０５により、初期位置に位置決めされている。このイジェクト伝達部材９５の初期位置は、磁気ヘッド昇降スライダ９４に対して前方側にスライドされ、前端側を図１５中反矢印Ｈ方向の他側方向に回動させた位置である。
【００８３】
イジェクト伝達部材９５の前端側には、イジェクト伝達片１１３が突設されている。このイジェクト伝達片１１３は、磁気ヘッド昇降スライダ９４が前方側にスライドされ磁気ヘッド１３が上方位置に保持されているときには、メカシャーシ２の前縁側に設けられた透孔及びベース部材１の前面部に設けられた透孔１５４を介して、ベース部材１の前面部よりも前方側に突出されている。このとき、イジェクト伝達片１１３は、図１５に示すように、ロックスライダ１１５の他端部とイジェクトスライダ１１６の当接部１７６との間に進入している。このとき、イジェクトノブ１７が操作されて、イジェクトスライダ１１６が圧縮コイルバネ１６９の付勢力に抗して、図１５中矢印Ｇ方向の一側方向にスライドされると、イジェクト伝達片１１３が、図１５中矢印Ｈ方向の一側方向に回動されるとともに、ロックスライダ１１５が、図１５中矢印Ｉ方向の一側方向にスライドされ、このロックスライダ１１５は、被係止部材３０１に対する係止を解除する。
【００８４】
磁気ヘッド昇降スライダ９４が、図１６及び図１７に示すように、後方側にスライドされると、イジェクト伝達片１１３は、ロックスライダ１１５の他端部とイジェクトスライダ１１６の当接部１７６との間より後方側に退出する。この場合には、イジェクトノブ１７が操作されてイジェクトスライダ１１６が一側方向にスライドされても、当接部１７６がイジェクト伝達片１１３に当接しないためにこのイジェクト伝達片１１３が回動されず、ロックスライダ１１５は、スライドされることがなく、被係止部材３０１に対する係止を解除することもない。
【００８５】
なお、磁気ヘッド昇降スライダ９４は、再生モードにおいては、図１６に示すように、イジェクト伝達片１１３をロックスライダ１１５及び当接部１７６間より退出させているが、磁気ヘッド１３を上方側に保持している第１の位置としている。この磁気ヘッド昇降スライダは、記録モードにおいては、図１７に示すように、イジェクト伝達片１１３をロックスライダ１１５及び当接部１７６間より退出させるとともに上記磁気ヘッド１３を下方側に回動させている第２の位置となされている。
【００８６】
磁気ヘッド昇降スライダ９４が後方側に移動されているときに、イジェクトスライダ１１６がスライドされ、このままの状態で該磁気ヘッド昇降スライダ９４が前方側に移動されると、イジェクト伝達片１１３がイジェクトスライダ１１６に当接する。この場合には、イジェクト伝達部材９５は、磁気ヘッド昇降スライダ９４が前方側に移動されても、引っ張りコイルバネ１０５を変位させつつ、イジェクト伝達片１１３をイジェクトスライダ１１６に当接させた位置に留まる。このイジェクト伝達部材９５は、イジェクトスライダ１１６が初期位置に復帰されたときに、イジェクト伝達片１１３をロックスライダ１１５の他端部とイジェクトスライダの当接部１７６との間に進入させて、磁気ヘッド昇降スライダ９４に対する初期位置に復帰する。
【００８７】
ところで、カバー支持板４の両側縁部には、図１１に示すように、それぞれ、カートリッジ吊り下げ爪５５，５６が設けられ、下方側に垂下されている。一側のカートリッジ吊り下げ爪５６は、カバー支持板４に一体的に形成され、後方側に屈曲された鈎形状に形成されている。このカートリッジ吊り下げ爪５６の鈎状の屈曲部の上縁部は、吊り下げ部５８となされている。そして、他側のカートリッジ吊り下げ爪５５は、図１０に示すように、基端側（上端側）部分６６を上記カバー支持板４に対し回動可能に取り付けられており、先端側（下端側）が後方側に屈曲された鈎形状に形成されている。このカートリッジ吊り下げ爪５５の鈎状の屈曲部の上縁部は、吊り下げ部５７となされている。これら吊り下げ爪５５，５６は、各吊り下げ部５７，５８を、カートリッジホルダ３の両側部に側方側に向けて突設された係合片１１８，１２０に係合させている。そして、これら吊り下げ爪５５，５６は、上記上蓋部が開蓋されたときには、図１２に示すように、上記カートリッジホルダ３を吊り下げ、このカートリッジホルダ３を上記メカシャーシ２の上方側に回動させる。このとき、上記カートリッジホルダ３は、上記メカシャーシ２の上面部より離間されているとともに、前方部を上記上カバー７の前縁部の下方側となして前方側に臨ませている。また、このとき、上記カバー支持板４及び上記カートリッジホルダ３は、それぞれ上記各クリックストップリンク２４，４５により、回動された位置にて保持されている。
【００８８】
他側の吊り下げ爪５５は、図１０及び図３３及至図３５に示すように、基端側部分６６がカバー支持板４の下面部に沿うように屈曲され、この基端側部分６６を該カバー支持板４に対して支軸６５を介して回動可能に支持されている。この支軸６５は、カバー支持板４の主面部に対して垂直となされており、吊り下げ片５５の前縁側に位置している。したがって、吊り下げ片５５は、図１０及び図３３中矢印Ｆで示すように、後縁側を外方側に移動させるように回動可能となされている。この吊り下げ爪５５は、吊り下げ爪５５のカバー支持板４に沿わされた基端側部分６６に設けられたバネ係止部６８とカバー支持板４に設けられたバネ係止部６９との間に張架された引っ張りコイルバネ６７により、図３３中矢印Ｄで示すように、後縁部を内方側となす方向に回動付勢されている。この吊り下げ爪５５は、カバー支持板４に設けられた当接突起７０に、基端側部分６６を当接させて、初期位置に位置決めされている。なお、吊り下げ爪５５の基端側部分６６は、支軸６５を中心とした扇型に形成されており、後縁部を支持片３３７により摺動可能に支持されている。
【００８９】
このように回動可能に支持された吊り下げ片５５は、装置の外部から加えられる振動や衝撃によりダンパ機構１４が変形して、メカシャーシ２及びカートリッジホルダ３が、ベース部材１に対して移動したとき、このカートリッジホルダ３に当接されて、外方側に弾性的に回動され得る。したがって、吊り下げ爪５５は、カートリッジホルダ３に接近又は接触されていても、カートリッジホルダ３の振動による移動が阻害されることがない。なお、ベース部材１の他側部には、吊り下げ爪５５の回動範囲を確保するための外方側に膨出形成された屈曲部３３６が設けられている。
【００９０】
この記録再生装置においては、吊り下げ爪５５が回動可能とされているため、メカシャーシ２及びカートリッジホルダ３のダンパ機構１４の変形による振動吸収のための移動可能範囲を充分に確保しつつ、装置構成の小型化を図ることができる。すなわち、カートリッジホルダ３の移動可能範囲として、０．８ｍｍを確保しようとすると、吊り下げ爪５５が上記カバー支持板４に対して固定されている場合には、カートリッジホルダ３の側面部と吊り下げ爪５５との間に０．８ｍｍの空隙が必要であり、また、この吊り下げ爪５５に係合する係合片１１８の先端部と上カバー７の内壁部との間にも０．８ｍｍの空隙が必要となるので、カートリッジホルダ３の側面部と上カバー７の内壁部との間には、少なくとも、１．６ｍｍと吊り下げ爪５５の厚み分を合わせた距離の空隙が必要となる。ところが、この記録再生装置では、カートリッジホルダ３の移動可能範囲として、０．８ｍｍを確保しようとしたとき、吊り下げ爪５５がカバー支持板４に対して移動可能なので、図３４に示すように、この吊り下げ爪５５に係合する係合片１１８の先端部と上カバー７の内壁部との間には０．８ｍｍの空隙が必要であるが、カートリッジホルダ３の側面部と吊り下げ爪５５との間には殆ど空隙が不要であり、カートリッジホルダ３の側面部と上カバー７の内壁部との間の空隙は、ほぼ０．８ｍｍに吊り下げ爪５５の厚み分を加えた距離で足りることになる。ここに示す記録再生装置では、カートリッジホルダ３の移動可能範囲が０．８ｍｍであって、カートリッジホルダ３の側面部と上記吊り下げ爪５５との間には、０．４ｍｍ程度の空隙を設けている。
【００９１】
なお、吊り下げ爪５５，５６は、片側のみがカバー支持板４に対して回動可能となっているが、双方を同様の構成となして、それぞれ該カバー支持板４に対して回動可能となるようにしてもよい。
【００９２】
〔１１〕停止モードにおける状態
上述のように構成された記録再生装置において、停止モードであって、かつ、ディスクカートリッジ２２０，２２１が装着されていないときには、磁気ヘッド昇降スライダ９４は、図１５に示すように、前方側の初期位置となされている。このとき、イジェクトノブ１７を操作すると、ロックスライダ１１５がスライドされ、上蓋部の被係止部材３０１に対するロック片部１８１による係止が解除される。
【００９３】
このときには、カートリッジ装着検出スイッチ７２が押圧操作されていないため、ＣＰＵ３３８は、キー入力部１５に対する操作があっても、ディスク駆動部３３９を駆動させない。
【００９４】
すなわち、ＣＰＵ３３８は、図３７のフローチャートに示すように、ステップｓｔ１において電源投入されてスタートされると、ステップｓｔ２において上記キー入力部１５に対する入力操作があったか否かを判別する。キー入力部１５に対する入力操作があったならばステップｓｔ３に進み、キー入力部１５に対する入力操作がないときにはステップｓｔ６に進んでリターンする。ステップｓｔ３においては、カートリッジ装着検出スイッチ（スイッチ（Ａ））７２が操作されているかを判別する。カートリッジ装着検出スイッチ７２が操作されていればステップｓｔ４に進み、カートリッジ装着検出スイッチ７２が操作されていなければステップｓｔ６に進んでリターンする。ステップｓｔ４においては、蓋ロック検出スイッチ（スイッチ（Ｂ））１６０が操作されているかを判別する。蓋ロック検出スイッチ６０が操作されていればステップｓｔ５に進み、蓋ロック検出スイッチ６０が操作されていなければステップｓｔ６に進んでリターンする。ステップｓｔ５においては、ＣＰＵ３３８は、キー入力部１５に対する操作に応じて、ディスク駆動部３３９を駆動制御する。
【００９５】
〔１２〕ディスクカートリッジの装着
この記録再生装置にディスクカートリッジ２２０，２２１を装着するには、上述のようにイジェクトノブ１７を操作した後、図１２に示すように、上蓋部を上方側に回動させて開蓋する。そして、カートリッジホルダ３に対して、前方側より、ディスクカートリッジ２２０，２２１を前縁側より挿入する。すると、上記ディスクカートリッジ２２０，２２１においては、上記シャッタ部材２０６，２１７が開蓋される。そして、上記上蓋部を下方側に回動させて閉蓋すると、ディスクカートリッジ２２０，２２１は、図１３に示すように、メカシャーシ２上に位置決めされて装着される。このとき、カートリッジ装着検出スイッチ７２は、押圧操作される。また、上蓋部がロックスライダ１１５により係止されることにより、蓋ロック検出スイッチ６０は押圧操作される。この状態において、ＣＰＵ３３８は、キー入力部１５に入力があればその入力に応じてディスク駆動部３３９を駆動制御する状態となる。
【００９６】
〔１３〕再生モードにおける状態
ディスクカートリッジ２２０，２２１が装着され上蓋部が閉蓋されて係止されている状態において、キー入力部１５により再生モードを開始すべき指示がなされると、ＣＰＵ３３８は、ステッピングモータ８５を駆動制御し、磁気ヘッド昇降スライダ９４を、図１６中矢印Ｎ方向の後方側に移動させ、図１６に示すように、イジェクト伝達片１１３がロックスライダ１１５よりも後方側となり磁気ヘッド１３が上方側に保持される第１の位置となす。
【００９７】
この状態において、光磁気ディスク又は光ディスクがスピンドルモータ８９により回転操作され、光学ピックアップ１０が作動して光磁気ディスク又は光ディスクより情報信号の読み出しが行われて再生モードが実行される。このとき、各トラックジャンプ釦３０，３１、又は一時停止釦３２を操作することにより、所為の方向へのトラックジャンプ、又は一時停止動作を実行することができる。この再生モードの実行中においては、イジェクトスライダ１１６を一側にスライド操作しても、イジェクト伝達片１１３が後方側に退出しているため、ロックスライダ１１５がスライドされることがなく、上蓋部に対する係止が解除されることがない。停止釦２９を操作して停止モードとすると、磁気ヘッド昇降スライダ９４が前方側の初期位置に復帰され、イジェクトスライダ１１６のスライドによって上蓋部に対するロックスライダ１１６による係止の解除が行える状態となる。
【００９８】
〔１４〕記録モードにおける状態
記録及び再生用ディスクカートリッジ２２０が装着され上蓋部が閉蓋されて係止されている状態において、キー入力部１５により記録モードを開始すべき指示がなされると、ＣＰＵ３３８は、ステッピングモータ８５を駆動制御し、磁気ヘッド昇降スライダ９４を、図１７中矢印Ｏ方向の後方側に移動させ、図１７に示すように、イジェクト伝達片１１３がロックスライダ１１５よりも後方側となり磁気ヘッド１３が下方側に移動される第２の位置となす。
【００９９】
この状態において、光磁気ディスクがスピンドルモータ８９により回転操作され、光学ピックアップ１０及び磁気ヘッド１３が作動して光磁気ディスクに対する情報信号の書き込みが行われて記録モードが実行される。磁気ヘッド１３は、光磁気ディスクに摺接される。このとき、一時停止釦２９を操作することにより、一時停止動作を実行することができる。この記録モードの実行中においては、イジェクトスライダ１１６を一側の側にスライド操作しても、イジェクト伝達片１１３が後方側に退出しているため、ロックスライダ１１５がスライドされることがなく、上蓋部に対する係止が解除されることがない。停止釦２９を操作して停止モードとすると、それまで書き込みを行っていた情報信号についてのアドレス等を示す目録情報（いわゆるユーザーズトック：Ｕ−ＴＯＣ）の書き込みが行われ、この目録情報の書き込み完了後に、磁気ヘッド昇降スライダ９４が前方側の初期位置に復帰される。磁気ヘッド昇降スライダ９４の初期位置への復帰によって、イジェクトスライダ１１６のスライドによって上蓋部に対するロックスライダ１１６による係止の解除が行える状態となる。
【０１００】
なお、再生専用ディスクカートリッジ２２１、又はセーブノッチ２１４が移動操作されて情報信号の書き込み禁止となされた記録及び再生用ディスクカートリッジ２２０が装着された状態において、キー入力部１５により記録モードを開始すべき指示がなされても、ＣＰＵ３３８は、識別用穴２２４によって装着されているディスクカートリッジ２２０，２２１が情報信号の記録が不可能なものであることを判別しているため、記録モードを実行しない。
【０１０１】
〔１５〕ディスクカートリッジの取り出し
上述のように、再生モードの実行後の停止モード、記録モードの実行後の目録情報の書き込み完了後の停止モード、又は未だ記録も再生も行われていない状態における停止モードにおいては、この記録再生装置に装着されているディスクカートリッジ２２０，２２１を取り出すことができる。
【０１０２】
このとき、イジェクトノブ１７を操作してイジェクトスライダ１１６を一側の側にスライドさせると、ロックスライダ１１５による上蓋部に対する係止が解除されて、この上蓋部は、上方側に回動されて開蓋されることが可能となる。このように上蓋部に対する係止を解除して、この上蓋部を上方側に回動させて開蓋させると、図１２に示すように、カートリッジホルダ３が上方側に回動されてメカシャーシ２より離間する。すると、ディスクカートリッジ２２０，２２１は、メカシャーシ２上より上方側に持ち上げられるとともに、カートリッジ排出レバー３０２によってカートリッジホルダ３の前方側に押し出される。このとき、ディスクカートリッジ２２０，２２１は、後方側部分をカートリッジホルダ３より突出させるので、このカートリッジホルダ３より取り出すことができる。カートリッジホルダ３より抜き取られたディスクカートリッジ２２０，２２１においては、シャッタ部材２０６，２１７は、シャッタ閉蓋バネ１３５により閉蓋状態となされている。
【０１０３】
【発明の効果】
上述のように、本発明に係るディスク記録再生装置は、カートリッジホルダに設けられた磁気ヘッド昇降部によって磁気ヘッド支持アームを回動させる構成としているので複雑な機構を用いることなく磁気ヘッドの昇降駆動が可能である。
【０１０４】
したがって、本発明を適用することにより、ディスク記録再生装置の小型化を図ることができる。
【図面の簡単な説明】
【図１】本発明を適用して構成された記録再生装置の外観の構成を示す斜視図である。
【図２】上記記録再生装置の構成を示す平面図である。
【図３】上記記録再生装置の構成を示す正面図である。
【図４】上記記録再生装置の構成を示す左側面図である。
【図５】上記記録再生装置の構成を示す背面図である。
【図６】上記記録再生装置の構成を示す右側面図である。
【図７】上記記録再生装置の構成を示す底面図である。
【図８】上記記録再生装置の構成を示す縮小分解斜視図である。
【図９】上記記録再生装置を構成する外筐体を示す右側面図である。
【図１０】上記記録再生装置のカバー支持板の構成を示す底面図である。
【図１１】上記記録再生装置のカバー支持板の構成を示す左側面図である。
【図１２】上記記録再生装置のイジェクト状態における内部の構成を示す左側面図である。
【図１３】上記記録再生装置の停止モードにおける内部の構成を示す左側面図である。
【図１４】上記記録再生装置の録音モードにおける内部の構成を示す左側面図である。
【図１５】上記記録再生装置の停止モードにおけるメカシャーシ上の構成を透視して示す平面図である。
【図１６】上記記録再生装置の再生モードにおけるメカシャーシ上の構成を透視して示す平面図である。
【図１７】上記記録再生装置の記録モードにおけるメカシャーシ上の構成を透視して示す平面図である。
【図１８】上記記録再生装置のカートリッジホルダの停止モード及び再生モードにおける構成を示す平面図である。
【図１９】上記記録再生装置のカートリッジホルダの記録モードにおける構成を示す平面図である。
【図２０】上記記録再生装置の上蓋部を係止するための構成を示す要部拡大分解斜視図である。
【図２１】上記記録再生装置の上蓋部を係止するための構成を示す正面図である。
【図２２】上記記録再生装置のベース部材の構成を示す平面図である。
【図２３】上記記録再生装置の外カバーの構成を示す平面図である。
【図２４】上記記録再生装置の外カバーの構成を示す正面図である。
【図２５】上記記録再生装置の上蓋部が閉蓋途中の状態を示す要部正面図である。
【図２６】上記記録再生装置の上蓋部が閉蓋された状態を示す要部正面図である。
【図２７】上記記録再生装置の上蓋部に対する係止が解除された状態を示す要部正面図である。
【図２８】上記記録再生装置のカートリッジ排出機構の構成を示す要部拡大斜視図である。
【図２９】上記記録再生装置におけるメカシャーシとカートリッジホルダとの取り付け状態を示す要部右側面図である。
【図３０】上記記録再生装置においてカートリッジホルダがメカシャーシの側に回動されている状態を示す要部右側面図である。
【図３１】上記記録再生装置におけるメカシャーシの支持構造を示す縦断面図である。
【図３２】上記記録再生装置のダンパ機構の構成を示す拡大縦断面図である。
【図３３】上記記録再生装置のカートリッジホルダを吊り下げる部材の構成を示す要部拡大平面図である。
【図３４】上記記録再生装置のカートリッジホルダを吊り下げる部材の構成を示す要部拡大正面図である。
【図３５】上記記録再生装置のカートリッジホルダを吊り下げる部材の構成を示す要部拡大側面図である。
【図３６】上記記録再生装置の電子回路部の要部の構成を示すブロック図である。
【図３７】上記記録再生装置のＣＰＵの動作を示すフローチャートである。
【図３８】上記記録再生装置において使用される記録及び再生用ディスクカートリッジの構成を示す上面側より臨んだ斜視図である。
【図３９】上記記録再生装置において使用される再生専用ディスクカートリッジの構成を示す上面側より臨んだ斜視図である。
【図４０】上記記録再生装置において使用される記録及び再生用ディスクカートリッジの構成を示す下面側より臨んだ斜視図である。
【図４１】上記記録再生装置において使用される再生専用ディスクカートリッジの構成を示す下面側より臨んだ斜視図である。
【符号の説明】
２　メカシャーシ、　３　カセットホルダ、　１０　光学ピックアップ、　１３　磁気ヘッド、　１１　ディスクテーブル、　２０　ヘッド昇降板、　７７　磁気ヘッド支持アーム、　８５ステッピングモータ、　８９　スピンドルモータ、　９４　磁気ヘッド昇降スライダ、　１０９　スライダ初期位置検出スイッチ、　１２４　ピックアップ送りモータ、３３９ディスク駆動部
【図１】
2004030868.tif 000003
【図２】
2004030868.tif 000004
【図３】
2004030868.tif 000005
【図４】
2004030868.tif 000006
【図５】
2004030868.tif 000007
【図６】
2004030868.tif 000008
【図７】
2004030868.tif 000009
【図８】
2004030868.tif 000010
【図９】
2004030868.tif 000011
【図１０】
2004030868.tif 000012
【図１１】
2004030868.tif 000013
【図１２】
2004030868.tif 000014
【図１３】
2004030868.tif 000015
【図１４】
2004030868.tif 000016
【図１５】
2004030868.tif 000017
【図１６】
2004030868.tif 000018
【図１７】
2004030868.tif 000019
【図１８】
2004030868.tif 000020
【図１９】
2004030868.tif 000021
【図２０】
2004030868.tif 000022
【図２１】
2004030868.tif 000023
【図２２】
2004030868.tif 000024
【図２３】
2004030868.tif 000025
【図２４】
2004030868.tif 000026
【図２５】
2004030868.tif 000027
【図２６】
2004030868.tif 000028
【図２７】
2004030868.tif 000029
【図２８】
2004030868.tif 000030
【図２９】
2004030868.tif 000031
【図３０】
2004030868.tif 000032
【図３１】
2004030868.tif 000033
【図３２】
2004030868.tif 000034
【図３３】
2004030868.tif 000035
【図３４】
2004030868.tif 000036
【図３５】
2004030868.tif 000037
【図３６】
2004030868.tif 000038
【図３７】
2004030868.tif 000039
【図３８】
2004030868.tif 000040
【図３９】
2004030868.tif 000041
【図４０】
2004030868.tif 000042
【図４１】
2004030868.tif 000043